(57)【要約】【課題】例えば、照明制御装置が筐体内部に具備するアンテナの電界レベルの調整を容易にすることを目的とする。【解決手段】アンテナ１０１と回路基板１０２とが一体となって構成される可動部１０７は、筐体１０５の内部に、例えばスライド機構などを用いて変位可能なように配置される。照明制御装置１００の設置場所の環境によっては、アンテナ１０１の電界レベルが低いため、アンテナ１０１を介した無線通信が困難な場合がある。このようなときに、可動部１０７を変位させることにより、アンテナ１０１の電界レベルを調整することが可能である。つまり、アンテナ１０１の電界レベルが低い位置（第１の位置）からアンテナ１０１の電界レベルが高い位置（第２の位置）へと可動部１０７を変位させることで、アンテナ１０１の電界レベルを改善することができ、その結果、アンテナ１０１を介した無線通信を正常に行うことが可能となる。【選択図】図２
2007287679.tif 000002
【特許請求の範囲】
【請求項１】
第１の位置における電界レベルと電界レベルが異なる第２の位置へ変位可能である可動部を有する筐体と、
前記可動部の前記筐体内側の部位に固定されるアンテナと、
前記アンテナと接続され、前記アンテナを介して信号を受信または／および送信する無線部と、
前記無線部により受信または送信された信号に基づいて照明器具の制御ユニットの状態を制御する制御部と、
を備えることを特徴とする照明制御装置。
【請求項２】
人感センサまたは照度センサを有するとともに、第１の位置における電界レベルと電界レベルが異なる第２の位置へ変位可能である可動部を有する筐体と、
前記可動部の前記筐体内側の部位に固定されるアンテナと、
前記人感センサまたは前記照度センサからセンサ情報を入力して、入力したセンサ情報に応じて信号を出力する制御部と、
前記アンテナと接続され、前記制御部により出力された信号を、前記アンテナを介して送信する無線部と、
を備えることを特徴とする照明制御装置。
【請求項３】
前記可動部は、前記第１の位置と前記第２の位置とのうち、前記アンテナの電界レベルがより高い位置に配置されていることを特徴とする請求項１または２に記載の照明制御装置。
【請求項４】
第１の位置における共振点と共振点が異なる第２の位置へ変位可能である可動部を有する筐体と、
前記可動部の前記筐体内側の部位に固定されるアンテナと、
前記アンテナと接続され、前記アンテナを介して信号を受信または／および送信する無線部と、
前記無線部により受信または送信された信号に基づいて照明器具の制御ユニットの状態を制御する制御部と、
を備えることを特徴とする照明制御装置。
【請求項５】
人感センサまたは照度センサを有するとともに、第１の位置における共振点と共振点が異なる第２の位置へ変位可能である可動部を有する筐体と、
前記可動部の前記筐体内側の部位に固定されるアンテナと、
前記人感センサまたは前記照度センサからセンサ情報を入力して、入力したセンサ情報に応じて信号を出力する制御部と、
前記アンテナと接続され、前記制御部により出力された信号を、前記アンテナを介して送信する無線部と、
を備えることを特徴とする照明制御装置。
【請求項６】
少なくとも一部が誘電体で形成された壁部と、第１の位置における前記壁部との間隔と前記壁部との間隔が異なる第２の位置へ変位可能である可動部とを有する筐体と、
前記可動部の前記筐体内側の部位に固定されるアンテナと、
前記アンテナと接続され、前記アンテナを介して信号を受信または／および送信する無線部と、
前記無線部により受信または送信された信号に基づいて照明器具の制御ユニットの状態を制御する制御部と、
を備えることを特徴とする照明制御装置。
【請求項７】
人感センサまたは照度センサを有するとともに、少なくとも一部が誘電体で形成された壁部と、第１の位置における前記壁部との間隔と前記壁部との間隔が異なる第２の位置へ変位可能である可動部とを有する筐体と、
前記可動部の前記筐体内側の部位に固定されるアンテナと、
前記人感センサまたは前記照度センサからセンサ情報を入力して、入力したセンサ情報に応じて信号を出力する制御部と、
前記アンテナと接続され、前記制御部により出力された信号を、前記アンテナを介して送信する無線部と、
を備えることを特徴とする照明制御装置。
【請求項８】
前記無線部は、所定の周波数により前記信号を受信または送信し、
前記第２の位置は、前記アンテナの位置が前記第１の位置における前記アンテナの位置と略Ｙ（Ｙ＝λ／２×ｎ、λは前記所定の周波数における波長、ｎは整数）異なる位置であることを特徴とする請求項６または７に記載の照明制御装置。
【請求項９】
前記無線部は、所定の周波数により前記信号を受信または送信し、
前記第２の位置は、前記アンテナの位置が前記第１の位置における前記アンテナの位置と略Ｙ（Ｙ＝λ／４＋λ／２×ｎ、λは前記所定の周波数における波長、ｎは整数）異なる位置であることを特徴とする請求項６または７に記載の照明制御装置。
【請求項１０】
前記無線部は、所定の周波数により前記信号を受信または送信し、
前記筐体は、さらに、前記可動部を支持し、前記可動部を回転可能な回転部を有し、
前記回転部は、前記アンテナと前記回転部の回転軸との間隔が当該回転軸の垂直方向に略Ｙ（Ｙ＝λ／２×ｎ、λは前記所定の周波数における波長、ｎは整数）の１／２となるように前記可動部を支持し、
前記可動部は、前記回転部により略１８０度回転された場合に、前記第１の位置から前記第２の位置へ変位することを特徴とする請求項６または７に記載の照明制御装置。
【請求項１１】
前記無線部は、所定の周波数により前記信号を受信または送信し、
前記筐体は、さらに、前記可動部を支持し、前記可動部を回転可能な回転部を有し、
前記回転部は、前記アンテナと前記回転部の回転軸との間隔が当該回転軸の垂直方向に略Ｙ（Ｙ＝λ／４＋λ／２×ｎ、λは前記所定の周波数における波長、ｎは整数）の１／２となるように前記可動部を支持し、
前記可動部は、前記回転部により略１８０度回転された場合に、前記第１の位置から前記第２の位置へ変位することを特徴とする請求項６または７に記載の照明制御装置。
【請求項１２】
アンテナと、第１の位置における前記アンテナとの間隔と前記アンテナとの間隔が異なる第２の位置へ変位可能である可動部とを内側に有する筐体と、
前記可動部に固定される誘電体と、
前記アンテナと接続され、前記アンテナを介して信号を受信または／および送信する無線部と、
前記無線部により受信または送信された信号に基づいて照明器具の制御ユニットの状態を制御する制御部と、
を備えることを特徴とする照明制御装置。
【請求項１３】
人感センサまたは照度センサを有するとともに、アンテナと、第１の位置における前記アンテナとの間隔と前記アンテナとの間隔が異なる第２の位置へ変位可能である可動部とを内側に有する筐体と、
前記可動部に固定される誘電体と、
前記人感センサまたは前記照度センサからセンサ情報を入力して、入力したセンサ情報に応じて信号を出力する制御部と、
前記アンテナと接続され、前記制御部により出力された信号を、前記アンテナを介して送信する無線部と、
を備えることを特徴とする照明制御装置。
【請求項１４】
誘電体と、第１の位置における前記誘電体との間隔と前記誘電体との間隔が異なる第２の位置へ変位可能である可動部とを有する筐体と、
前記可動部の前記筐体内側の部位に固定されるアンテナと、
前記アンテナと接続され、前記アンテナを介して信号を受信または／および送信する無線部と、
前記無線部により受信または送信された信号に基づいて照明器具の制御ユニットの状態を制御する制御部と、
を備えることを特徴とする照明制御装置。
【請求項１５】
人感センサまたは照度センサを有するとともに、誘電体と、第１の位置における前記誘電体との間隔と前記誘電体との間隔が異なる第２の位置へ変位可能である可動部とを有する筐体と、
前記可動部の前記筐体内側の部位に固定されるアンテナと、
前記人感センサまたは前記照度センサからセンサ情報を入力して、入力したセンサ情報に応じて信号を出力する制御部と、
前記アンテナと接続され、前記制御部により出力された信号を、前記アンテナを介して送信する無線部と、
を備えることを特徴とする照明制御装置。
【請求項１６】
円筒形の筐体と、
前記筐体の中心軸から当該中心軸の垂直方向にλ（λは所定の周波数における波長）に基づいて定められる所定の間隔をおいて配設されたアンテナと、
前記アンテナと接続され、前記アンテナを介して前記所定の周波数により信号を受信または／および送信する無線部と、
前記無線部により受信または送信された信号に基づいて照明器具の制御ユニットの状態を制御する制御部と、
を備えることを特徴とする照明制御装置。
【請求項１７】
人感センサまたは照度センサを有する円筒形の筐体と、
前記筐体の中心軸から当該中心軸の垂直方向にλ（λは所定の周波数における波長）に基づいて定められる所定の間隔をおいて配設されたアンテナと、
前記人感センサまたは前記照度センサからセンサ情報を入力して、入力したセンサ情報に応じて信号を出力する制御部と、
前記アンテナと接続され、前記制御部により出力された信号を、前記アンテナを介して前記所定の周波数により送信する無線部と、
を備えることを特徴とする照明制御装置。
【請求項１８】
前記所定の間隔は、略Ｙ（Ｙ＝λ／４＋λ／２×ｎ、ｎは整数）の１／２であることを特徴とする請求項１６または１７に記載の照明制御装置。
【請求項１９】
円筒形の筐体と、
前記筐体の中心軸から当該中心軸の垂直方向にλ／８（λは所定の周波数における波長）以上の間隔をおいて配設されたアンテナと、
前記アンテナと接続され、前記アンテナを介して前記所定の周波数により信号を受信または／および送信する無線部と、
前記無線部により受信または送信された信号に基づいて照明器具の制御ユニットの状態を制御する制御部と、
を備えることを特徴とする照明制御装置。
【請求項２０】
人感センサまたは照度センサを有する円筒形の筐体と、
前記筐体の中心軸から当該中心軸の垂直方向にλ／８（λは所定の周波数における波長）以上の間隔をおいて配設されたアンテナと、
前記人感センサまたは前記照度センサからセンサ情報を入力して、入力したセンサ情報に応じて信号を出力する制御部と、
前記アンテナと接続され、前記制御部により出力された信号を、前記アンテナを介して前記所定の周波数により送信する無線部と、
を備えることを特徴とする照明制御装置。
【発明の詳細な説明】
【技術分野】
【０００１】
本発明は、照明制御装置に関するものである。
【背景技術】
【０００２】
従来の照明制御装置として、リモコンからワイヤレスで設定信号を受信して、照明器具の調光制御を行う際の調光レベルを設定するものが公知である（例えば、特許文献１参照）。
【０００３】
また、従来のアンテナの調整方法として、逆Ｆ型アンテナにおいてアンテナ導体板とグランド導体板の間に非金属スペーサを配置し、非金属スペーサの数、大きさ、材質、装荷位置を変化させて、アンテナの共振周波数（中心周波数）を調整するものや（例えば、特許文献２参照）、アンテナ素子の最も電界強度の大きい部分を誘電体製の筒状体に接近させて配置し、筒状体から離れた側の電界強度を低下させて、無指向性やカージオイド特性のアンテナを指向性アンテナとして使用するものが公知である（例えば、特許文献３参照）。
【特許文献１】特開２００２−３０５０９０号公報
【特許文献２】特開平７−３２６９２２号公報
【特許文献３】特開２００２−３４４２３７号公報
【発明の開示】
【発明が解決しようとする課題】
【０００４】
従来のアンテナの調整方法では、アンテナ導体板とグランド導体板の間に誘電体を入れたり、アンテナに誘電体製の筒状体を取り付けたりすることで調整をしていたため、アンテナを製品に実装した後の調整が困難であった。照明制御装置は天井に設置されるものが多く普及しているが、照明制御装置が筐体内部に具備するアンテナの電界レベルや共振点を調整する必要がある場合には、調整がまったくできないか、又は、照明制御装置を設置場所から取り外して、他の位置に設置しなければならないという課題があった。
【０００５】
本発明は、例えば、照明制御装置が筐体内部に具備するアンテナの電界レベルの調整を容易にすることを目的とする。また、例えば、照明制御装置が筐体内部に具備するアンテナの共振点の調整を容易にすることを目的とする。
【課題を解決するための手段】
【０００６】
本発明に係る照明制御装置は、
第１の位置における電界レベルと電界レベルが異なる第２の位置へ変位可能である可動部を有する筐体と、
前記可動部の前記筐体内側の部位に固定されるアンテナと、
前記アンテナと接続され、前記アンテナを介して信号を受信または／および送信する無線部と、
前記無線部により受信または送信された信号に基づいて照明器具の制御ユニットの状態を制御する制御部と、
を備えることを特徴とする。
【発明の効果】
【０００７】
本発明では、照明制御装置において、アンテナが可動部の筐体内側の部位に固定され、可動部が、第１の位置から、アンテナの電界レベルが第１の位置におけるアンテナの電界レベルと異なる第２の位置へ変位可能であるため、照明制御装置が筐体内部に具備するアンテナの電界レベルを調整することが容易となる。
【発明を実施するための最良の形態】
【０００８】
以下、本発明の実施の形態について、図を用いて説明する。
【０００９】
図１は、以下で説明する各実施の形態に係る照明制御システムの構成を示す図である。
【００１０】
照明制御システムは、照明制御装置１００ａ〜ｃ、ワイヤレスリモコン２００（設定装置）、照明器具３００ａ〜ｎ，ｐを備える。照明制御装置１００ａは、アンテナ１０１、回路基板１０２を備える。照明制御装置１００ｂは、さらに、人感センサ１１４を備える。照明制御装置１００ｃは、さらに、照度センサ１１５を備える。回路基板１０２には、無線部１０３、制御部１０４などが実装される。回路基板１０２に、人感センサ１１４や照度センサ１１５が合わせて実装されていても構わない。
【００１１】
ワイヤレスリモコン２００は、照明制御装置１００ａがどのように照明器具３００ａ〜ｎ，ｐを制御するか（例えば、調光レベルなど）を設定するための設定信号を無線により照明制御装置１００ａに送信する。照明制御装置１００ａにおいて、アンテナ１０１は、例えば逆Ｆ型アンテナやチップアンテナであり、ワイヤレスリモコン２００が送信する電波を受信し、受信した電波を無線部１０３に入力する。無線部１０３は、アンテナ１０１から入力された電波から設定信号を抽出し、抽出した設定信号を制御部１０４に入力する。制御部１０４は、無線部１０３から入力された設定信号を基に、１つ又は複数の照明器具３００の制御ユニット３０１の状態を制御する（例えば、設定信号で示された調光レベルなどに合わせて、照明器具３００ａ〜ｎの調光制御を行ったり、照明器具３００ａ〜ｎを点滅、点灯、消灯したりする）。制御部１０４は、照明器具３００ｐの制御ユニット３０１の状態を制御するための制御信号を無線部１０３に入力し、無線部１０３は、この制御信号を照明器具３００ｐにアンテナ１０１を介して送信してもよい。この場合、照明器具３００ｐのアンテナ３０２は、照明制御装置１００ａのアンテナ１０１が送信する電波を受信し、受信した電波を無線部３０３に入力する。照明器具３００ｐの無線部３０３は、アンテナ３０２から入力された電波から制御信号を抽出し、抽出した制御信号を制御ユニット３０１に入力する。そして、照明器具３００ｐの制御ユニット３０１は、無線部３０３から入力された制御信号に従って動作する（例えば、照明を調光、点滅、点灯、消灯する）。また、照明制御装置１００ａにおいて、制御部１０４は、照明器具３００ａ〜ｎ，ｐの制御ユニット３０１の状態などを示す状態信号を無線部１０３に入力し、無線部１０３は、この状態信号をワイヤレスリモコン２００にアンテナ１０１を介して送信してもよい。
【００１２】
図示していないが、回路基板１０２には、プログラムを実行するＣＰＵなどの処理部、メモリ（例えば、ＲＡＭ、ＲＯＭ、フラッシュメモリなど）、磁気ディスク装置などの記憶部が実装されてもよい。処理部は、バスを介して記憶部、及びその他の各部と接続され、各部を制御する。記憶部は、データや信号を記憶する。データや信号は、バスや信号線やケーブルその他の伝送媒体により伝送される。制御部１０４などは、ＲＯＭに記憶されたファームウェアで実現されていても構わないし、あるいは、ソフトウェアのみ、あるいは、素子・デバイス・基板・配線などのハードウェアのみ、あるいは、ソフトウェアとハードウェアとの組み合わせ、さらには、ファームウェアとの組み合わせで実現されていても構わない。ファームウェアとソフトウェアは、プログラムとして、記憶部に記憶される。このプログラムはＣＰＵにより読み出され、ＣＰＵにより実行される。
【００１３】
また、図示していないが、回路基板１０２には、その他の制御回路、照度センサ、人感センサ、スイッチなどが実装されていてもよいし、図１に示したように、これら（例えば、照度センサ４０１、人感センサ４０２、壁スイッチ４０３）を別途照明制御装置１００ａの外部に分けて、それぞれが有するアンテナを介して照明制御システムを構築してもよい。
【００１４】
照明制御装置１００ｂにおいて、人感センサ１１４は、例えば熱線量の変化を検知すると、人の存在を示すセンサ情報を出力する。制御部１０４は、人感センサ１１４からセンサ情報を入力して、入力したセンサ情報に応じて無線部１０３に信号を出力する（例えば、センサ情報が人の存在を示している場合には、照明器具３００ｐの点灯を命令する信号を無線部１０３に出力する）。無線部１０３は、制御部１０４から信号を入力して、入力した信号を、アンテナ１０１を介して照明器具３００ｐに送信する。これに対し、照明器具３００ｐのアンテナ３０２は、照明制御装置１００ｂのアンテナ１０１が送信する電波を受信し、受信した電波を無線部３０３に入力する。照明器具３００ｐの無線部３０３は、アンテナ３０２から入力された電波から信号を抽出し、抽出した信号を制御ユニット３０１に入力する。そして、照明器具３００ｐの制御ユニット３０１は、無線部３０３から入力された信号を従って、例えば照明を点灯する。
【００１５】
照明制御装置１００ｃにおいて、照度センサ１１５は、例えば周囲照度を検出すると、照度を示すセンサ情報を出力する。制御部１０４は、照度センサ１１５からセンサ情報を入力して、入力したセンサ情報に応じて無線部１０３に信号を出力する（例えば、センサ情報が示す照度に合わせて、照明器具３００ｐの調光制御をする信号を無線部１０３に出力する）。無線部１０３は、制御部１０４から信号を入力して、入力した信号を、アンテナ１０１を介して照明器具３００ｐに送信する。これに対し、照明器具３００ｐのアンテナ３０２は、照明制御装置１００ｂのアンテナ１０１が送信する電波を受信し、受信した電波を無線部３０３に入力する。照明器具３００ｐの無線部３０３は、アンテナ３０２から入力された電波から信号を抽出し、抽出した信号を制御ユニット３０１に入力する。そして、照明器具３００ｐの制御ユニット３０１は、無線部３０３から入力された信号を従って、例えば照明を調光する。
【００１６】
実施の形態１．
図２は、照明制御装置１００の構成を示す図（斜視図）である。
【００１７】
照明制御装置１００は、前述したように、アンテナ１０１、回路基板１０２を備えるほか、略円筒形（他の形状でもよい）の筐体１０５、複数の取り付けばね１０８を備える。筐体１０５の壁部１０６は、少なくとも一部がプラスチックなどの誘電体で形成されている。取り付けばね１０８は、例えば照明制御装置１００が天井裏の空間に挿入され天井に固定されて使用される形態をとる場合に、自らの弾性力を利用して筐体１０５を天井の開口部に固定するものである。取り付けばね１０８は、照明制御装置１００が他の形態をとる場合にはなくてもよい。本実施の形態では、アンテナ１０１は、回路基板１０２上に固定されており、アンテナ１０１と回路基板１０２とが一体となって可動部１０７を構成している。可動部１０７は、筐体１０５の内部に、例えばスライド機構などを用いて変位可能なように配置される（例えば、筐体１０５の底部に可動部１０７をスライドさせるための取っ手などを設けてもよい）。図１に示したように、アンテナ１０１は、回路基板１０２上に実装された無線部１０３に接続され、無線部１０３は、アンテナ１０１を介して設定信号などの信号を送受信する。そして、回路基板１０２上に実装された制御部１０４は、無線部１０３が送受信した信号に基づいて照明器具３００の制御を行う。
【００１８】
照明制御装置１００の設置場所の環境によっては、アンテナ１０１の電界レベルが低いため、無線部１０３がアンテナ１０１から入力される電波から設定信号の一部又は全部を抽出できない場合がある。この場合、無線部１０３は制御部１０４に正常な設定信号を入力することができず、制御部１０４は照明器具３００を制御することができなくなる。あるいは、制御部１０４は誤った設定に基づいて照明器具３００の制御を行うこととなる。本実施の形態では、このようなときに、可動部１０７を変位させることにより、アンテナ１０１の電界レベルを調整することが可能である。つまり、アンテナ１０１の電界レベルが低い位置（第１の位置）からアンテナ１０１の電界レベルが高い位置（第２の位置）へと可動部１０７を変位させることで、アンテナ１０１の電界レベルを改善することができ、その結果、無線部１０３はアンテナ１０１から入力される電波から設定信号を抽出して制御部１０４に正常な設定信号を入力することが可能となる。しかも、本実施の形態では、照明制御装置１００に可動部１０７を設けて、アンテナ１０１を変位可能としたので、アンテナ１０１の電界レベルを調整するために、照明制御装置１００を分解する必要がないし、設置場所から取り外す必要もない。また、照明制御装置１００を設置する際に、その後ワイヤレスリモコン２００から照明制御装置１００の設定を行う場合などに備えて、予め可動部１０７を、例えば照明制御装置１００の工場出荷時の位置（第１の位置）からアンテナ１０１の電界レベルがより高い位置（第２の位置）へと移動させておくことが可能である。このとき、アンテナ１０１の電界レベルがより高い位置を探すために、例えば、アンテナ１０１の電界レベルを測定してもよいし、単にワイヤレスリモコン２００からの設定が正常に行えるかどうかを試験してもよい。
【００１９】
また、照明制御装置１００の設置場所の環境によっては、無線部１０３が信号の送受信のために使用する所定の周波数において混信などが発生し、通信品質が劣化する場合がある（上記のようにアンテナ１０１の電界レベルが低い場合と同様に、無線部１０３がアンテナ１０１から入力される電波から設定信号の一部又は全部を抽出できなくなる）。この場合、無線部１０３が使用する周波数を、混信などが発生しないものに変更することが望ましい。しかし、アンテナ１０１の共振点（共振周波数）が変更後の周波数と異なる場合には（例えば照明制御装置１００の工場出荷時には、アンテナ１０１の共振点が所定の周波数に最適化されていることが望ましい）、周波数を変更しても通信品質が改善されない可能性がある。本実施の形態では、このようなときに、可動部１０７を変位させることにより、誘電体で形成された壁部１０６にアンテナ１０１を近づけて（又は遠ざけて）、アンテナ１０１の共振点を調整することが可能である。つまり、アンテナ１０１と壁部１０６との間隔が広い（又は狭い）位置（第１の位置）からアンテナ１０１と壁部１０６との間隔が狭い（又は広い）位置（第２の位置）へと可動部１０７を変位させることで、アンテナ１０１の共振点を変更することができ、その結果、通信品質を改善することが可能となる（無線部１０３はアンテナ１０１から入力される電波から設定信号を抽出して制御部１０４に正常な設定信号を入力することが可能となる）。
【００２０】
本実施の形態では、アンテナ１０１の電界レベルと共振点との少なくともいずれかが調整可能なようにアンテナ１０１の位置を変更できればよい。したがって、アンテナ１０１、回路基板１０２の配置、可動部１０７が変位可能な方向は、図２に示したものに限らない。例えば図３、図４に示したように、可動部１０７が回路基板１０２の縦・横・高さいずれの方向に変位可能であってもよいし、それ以外の方向に変位可能であってもよい。
【００２１】
実施の形態２．
以下では、本実施の形態について、主に実施の形態１との差異を説明する。
【００２２】
図５は、照明制御装置１００の構成を示す図（斜視図）である。
【００２３】
実施の形態１では、アンテナ１０１は、回路基板１０２上に固定されており、アンテナ１０１と回路基板１０２とが一体となって可動部１０７を構成していた。一方、本実施の形態では、アンテナ１０１は、アンテナ基板やアンテナユニットの一部であり、回路基板１０２と信号線１０９により接続されている。そして、アンテナ１０１を含むアンテナ基板やアンテナユニットが可動部１０７を構成している。可動部１０７は、実施の形態１と同様に、筐体１０５の内部に、例えばスライド機構などを用いて変位可能なように配置される。
【００２４】
本実施の形態では、実施の形態１と同様に、可動部１０７を変位させることにより、アンテナ１０１の電界レベルを調整することが可能である。つまり、アンテナ１０１の電界レベルが低い位置（第１の位置）からアンテナ１０１の電界レベルが高い位置（第２の位置）へと可動部１０７を変位させることで、アンテナ１０１の電界レベルを改善することが可能となる。また、本実施の形態では、実施の形態１と同様に、可動部１０７を変位させることにより、誘電体で形成された壁部１０６にアンテナ１０１を近づけて（又は遠ざけて）、アンテナ１０１の共振点を調整することが可能である。つまり、アンテナ１０１と壁部１０６との間隔が広い（又は狭い）位置（第１の位置）からアンテナ１０１と壁部１０６との間隔が狭い（又は広い）位置（第２の位置）へと可動部１０７を変位させることで、アンテナ１０１の共振点を変更することができ、その結果、通信品質を改善することが可能となる。
【００２５】
本実施の形態では、実施の形態１と同様に、アンテナ１０１の電界レベルと共振点との少なくともいずれかが調整可能なようにアンテナ１０１の位置を変更できればよい。したがって、アンテナ１０１、可動部１０７であるアンテナ基板やアンテナユニット、回路基板１０２の配置、可動部１０７が変位可能な方向は、図５に示したものに限らない。例えば図６、図７に示したように、可動部１０７であるアンテナ基板やアンテナユニットがその縦・横・高さいずれの方向に変位可能であってもよいし、それ以外の方向に変位可能であってもよい。
【００２６】
実施の形態３．
以下では、本実施の形態について、主に実施の形態１及び２との差異を説明する。
【００２７】
本実施の形態では、可動部１０７を当初の位置（第１の位置）から所定の位置（第２の位置）にしか変位できないように、可動部１０７が変位できる位置（可動部１０７が変位した後の位置）を制限する。第１の位置は、例えば照明制御装置１００の工場出荷時の位置である。そして、第２の位置は、図２〜７に示したように、第１の位置から略Ｙ離れた位置とし、Ｙを以下のように設定する。ここで、第２の位置は複数存在してもよい。
Ｙ＝λ／２×ｎ
Ｙ：可動部１０７が第１の位置にあるときのアンテナ１０１の位置から、可動部１０７が第２の位置にあるときのアンテナ１０１の位置までの最短距離（Ｙは筐体１０５の幅より短いものとする）
λ：所定の周波数における波長（アンテナ１０１の共振点は、アンテナ１０１が第１の位置にあるときに上記所定の周波数となるように調整されているものとする）
ｎ：整数
【００２８】
本実施の形態では、可動部１０７が変位できる位置を上記のように制限することにより、可動部１０７を変位させる際に、アンテナ１０１の電界レベルを変更することなく、アンテナ１０１の共振点のみを最適化することが容易となる。
【００２９】
実施の形態４．
以下では、本実施の形態について、主に実施の形態１及び２との差異を説明する。
【００３０】
本実施の形態では、可動部１０７を変位可能な位置を所定の位置に制限する。ここで、所定の位置とは、第１の位置（例えば照明制御装置１００の工場出荷時の位置）から、図２〜７に示したように、略Ｙ離れた位置（第２の位置）とし、Ｙを以下のように設定する。ここで、第２の位置は複数存在してもよい。
Ｙ＝λ／４＋λ／２×ｎ
Ｙ：可動部１０７が第１の位置にあるときのアンテナ１０１の位置から、可動部１０７が第２の位置にあるときのアンテナ１０１の位置までの最短距離（Ｙは筐体１０５の幅より短いものとする）
λ：所定の周波数における波長（アンテナ１０１の共振点は、アンテナ１０１が第１の位置にあるときに上記所定の周波数となるように調整されているものとする）
ｎ：整数
【００３１】
本実施の形態では、可動部１０７を変位可能な位置を上記のように制限することにより、可動部１０７を変位させる際に、アンテナ１０１の電界レベルを最適化する（電界レベルの最大点をみつける）ことが容易となる。
【００３２】
実施の形態５．
以下では、本実施の形態について、主に実施の形態１との差異を説明する。
【００３３】
図８は、照明制御装置１００の構成を示す図（斜視図）である。
【００３４】
実施の形態１では、可動部１０７を変位させることにより、アンテナ１０１の電界レベルを調整していた。一方、本実施の形態では、筐体１０５自体を回転させることにより、アンテナ１０１の電界レベルを調整する。そのために、本実施の形態では、筐体１０５は略円筒形のものを利用する。また、本実施の形態では、アンテナ１０１及び回路基板１０２を変位可能な可動部１０７としては構成せず、アンテナ１０１を配設する位置（第１の位置）を、筐体１０５の中心軸１１０から中心軸１１０の垂直方向に略ｒ離れた位置とし、ｒをλ（λ：所定の周波数における波長）に基づいて定められる所定の間隔に設定する。ｒは、例えば以下のように設定する。
ｒ＝Ｙ／２・・・（１）
Ｙ＝λ／４＋λ／２×ｎ
ｒ：筐体１０５の中心軸１１０から、アンテナ１０１の位置までの最短距離（ｒは筐体１０５の底部の半径より短いものとする）
λ：所定の周波数における波長
ｎ：整数
【００３５】
本実施の形態では、アンテナ１０１を配設する位置を上記のように固定することにより、筐体１０５を回転するだけで、アンテナ１０１の電界レベルを簡単に調整することが可能である。例えば、ｒを上記（１）のように設定したときには、筐体１０５を略１８０度回転させる（このとき、筐体１０５の中心軸１１０が回転軸１１１となる）と、アンテナ１０１が第１の位置から略Ｙ離れた位置（第２の位置）へと変位するため、アンテナ１０１の電界レベルを最適化する（電界レベルの最大点をみつける）ことが容易となる。ｒを上記（１）のように設定していないときには、アンテナ１０１が第１の位置から略Ｙ離れた位置（第２の位置）へと変位するように、筐体１０５を１８０度以外の角度で回転させてもよい。
【００３６】
つまり、アンテナ１０１全体が筐体１０５内に配設されていれば、ｒがλ／８以上となる任意の位置にアンテナ１０１を配設してもよい。例えば、アンテナ１０１を筐体１０５の中心軸１１０からλ／８離れた位置に配設しておけば（この場合、ｒ＝λ／８となる）、筐体１０５を１８０度回転させたときに、アンテナ１０１はλ／４変位することになる。また、アンテナ１０１の位置と筐体１０５の中心軸１１０との距離がλ／８より大きくなるような任意の位置にアンテナ１０１を配設した場合は、筐体１０５を１８０度回転させるまでにアンテナ１０１がλ／４変位し、電界レベルの最大点をみつけることができる。このように、アンテナ１０１の位置を中心軸１１０から所定の距離以上離して配置することによって、筐体１０５を回転させるだけでアンテナ１０１を容易に電界レベルの異なる位置に移動させることができる。ここで、アンテナ１０１の位置というときのアンテナ１０１とは、アンテナ１０１の任意の部位であって、例えば、アンテナ１０１の中心部であってもよいし、アンテナ１０１の端部であってもよい。
【００３７】
本実施の形態では、アンテナ１０１を配設する位置を上記のように固定できればよい。したがって、アンテナ１０１、回路基板１０２の向きなどは、図８に示したものに限らない。例えば図９に示したように、アンテナ１０１、回路基板１０２を配置してもよいし、それ以外の向きに配置してもよい。また、例えば図１０に示したように、アンテナ１０１を、アンテナ基板やアンテナユニットの一部とし、これを回路基板１０２と信号線１０９により接続してもよい。
【００３８】
本実施の形態では、筐体１０５の底部が円状に形成されているので、照明制御装置１００の設置後に筐体１０５を回転させても、下から見たときに違和感がない（美観性やメンテナンスの容易性などに影響がない）。また、筐体１０５の底部に状態表示用のＬＥＤなどが配設されている場合にも、筐体１０５の回転によってＬＥＤなどの位置が大きく変わることはないため、下から見たときに違和感がない（美観性やＬＥＤなどの視認性に影響がない）。
【００３９】
筐体１０５の底部に筐体１０５を回転させるための取っ手などを設けてもよい。筐体１０５の底部に取っ手を設けておくことにより、筐体１０５の回転操作を容易にすることができる。取っ手の形状や大きさは、使用者が筐体１０５の回転を容易にできるものであれば、どのようなものでも構わない。また、取っ手は、筐体１０５の底部と一体的に設けられたものであってもよいし、筐体１０５の底部から別体で突設するものであってもよい。なお、別体の場合は取り外し可能な構成とすることができる。取っ手を別体としておけば、筐体１０５を回転させるときにのみ装着し、通常の使用時には取り外すことができるので、下方から筐体１０５の底部を視認しても違和感がない（美観性が向上する）。なお、筐体１０５の内部に人感センサ１１４、照度センサ１１５などのセンサを配設する場合には、筐体１０５の底部からセンサの一部が露出することになるが、筐体１０５の底部が円状に形成されているため、露出部分が不自然な配置となることがない。
【００４０】
照明制御装置１００に電力を供給するための電源線が筐体１０５の内部に引き込まれる場合、電源線の引き込み口を筐体１０５の上部に設けることが望ましい。電源線の引き込み口を筐体１０５の上部に設けておくことにより、筐体１０５を回転させたときに電源線が無理に引っ張られることがなくなる。
【００４１】
実施の形態６．
以下では、本実施の形態について、主に実施の形態１との差異を説明する。
【００４２】
図１１は、照明制御装置１００の構成を示す図（斜視図）である。
【００４３】
実施の形態１では、アンテナ１０１と回路基板１０２とが一体となって可動部１０７を構成していた。一方、本実施の形態では、アンテナ１０１と回路基板１０２とは別に、誘電体１１２が可動部１０７を構成している。可動部１０７は、実施の形態１と同様に、筐体１０５の内部に、例えばスライド機構などを用いて変位可能なように配置される。
【００４４】
本実施の形態では、可動部１０７を変位させることにより、可動部１０７である誘電体１１２をアンテナ１０１に近づけて（又は遠ざけて）、アンテナ１０１の共振点を調整することが可能である。つまり、アンテナ１０１と誘電体１１２との間隔が広い（又は狭い）位置（第１の位置）からアンテナ１０１と誘電体１１２との間隔が狭い（又は広い）位置（第２の位置）へと可動部１０７である誘電体１１２を変位させることで、アンテナ１０１の共振点を変更することができ、その結果、通信品質を改善することが可能となる。
【００４５】
本実施の形態では、アンテナ１０１の共振点が調整可能なように誘電体１１２の位置を変更できればよい。したがって、アンテナ１０１、回路基板１０２の配置、可動部１０７が変位可能な方向は、図１１に示したものに限らない。例えば図１２に示したように、可動部１０７である誘電体１１２が回路基板１０２の縦・横・高さいずれの方向に変位可能であってもよいし、それ以外の方向に変位可能であってもよい。
【００４６】
また、本実施の形態では、誘電体１１２を可動部１０７として、可動部１０７を変位させることにより、アンテナ１０１の共振点が調整していたが、アンテナ１０１（又はアンテナ１０１と回路基板１０２を一体化したもの）を可動部１０７として、可動部１０７を変位させても、同様の効果が得られる。このとき、誘電体１１２は筐体１０５の内部に固定されていてもよいし、変位可能であってもよい。
【００４７】
実施の形態７．
以下では、本実施の形態について、主に実施の形態１及び２との差異を説明する。
【００４８】
図１３は、照明制御装置１００の構成を示す図（斜視図）である。
【００４９】
実施の形態１では、可動部１０７を例えばスライド機構などにより直線的に変位させることにより、アンテナ１０１の電界レベルや共振点を調整していた。一方、本実施の形態では、筐体１０５の内部に、可動部１０７を支持し、可動部１０７を回転可能な回転部１１３（回転機構）を設けている。そして、この回転部１１３を回転させて可動部１０７を変位させることにより、アンテナ１０１の電界レベルや共振点を調整する。また、本実施の形態では、アンテナ１０１と回転部１１３の回転軸１１１との間隔が回転軸１１１の垂直方向に略ｒ離れるように可動部１０７を配置し、ｒをλ（λ：所定の周波数における波長）に基づいて定められる所定の間隔に設定する。ｒは、例えば以下のように設定する。
ｒ＝Ｙ／２
Ｙ＝λ／２×ｎ
ｒ：回転部１１３の回転軸１１１から、アンテナ１０１の位置までの最短距離（ｒは筐体１０５の底部の半径より短いものとする）
λ：所定の周波数における波長
ｎ：整数
【００５０】
本実施の形態では、さらに、図１３に示したように、回転部１１３の回転軸１１１が筐体１０５の中心軸と重ならないように回転部１１３を設置する。したがって、回転部１１３を略１８０度回転させると、アンテナ１０１と壁部１０６との間隔がａとなる位置（第１の位置）からアンテナ１０１と壁部１０６との間隔がｂ（ここで、ａ＜ｂとする）となる位置（第２の位置）へと可動部１０７を変位させることができ、アンテナ１０１の共振点を変更することが可能となる。
【００５１】
本実施の形態では、アンテナ１０１と回転部１１３の回転軸１１１との間隔、回転部１１３の回転軸１１１の位置を上記のように設定することにより、回転部１１３を略１８０度回転させると、アンテナ１０１が、第１の位置から略Ｙ（Ｙ＝λ／２×ｎ）離れた第２の位置へと変位するとともに、アンテナ１０１と誘電体で形成された壁部１０６との間隔が変更されるため、アンテナ１０１の電界レベルを変更することなく、アンテナ１０１の共振点のみを最適化することが容易となる。
【００５２】
また、上記ｒは以下のように設定してもよい。
ｒ＝Ｙ／２
Ｙ＝λ／４＋λ／２×ｎ
ｒ：回転部１１３の回転軸１１１から、アンテナ１０１の位置までの最短距離（ｒは筐体１０５の底部の半径より短いものとする）
λ：所定の周波数における波長
ｎ：整数
【００５３】
本実施の形態では、アンテナ１０１と回転部１１３の回転軸１１１との間隔、回転部１１３の回転軸１１１の位置を上記のように設定することにより、回転部１１３を略１８０度回転させると、アンテナ１０１が、第１の位置から略Ｙ（Ｙ＝λ／４＋λ／２×ｎ）離れた第２の位置へと変位するとともに、アンテナ１０１と誘電体で形成された壁部１０６との間隔が変更されるため、アンテナ１０１の電界レベルと共振点とを同時に最適化することが容易となる。
【００５４】
本実施の形態では、アンテナ１０１、回路基板１０２の向きなどは、図１３に示したものに限らない。また、例えば図１４に示したように、アンテナ１０１を、アンテナ基板やアンテナユニットの一部とし、これを回路基板１０２と信号線１０９により接続してもよい。
【図面の簡単な説明】
【００５５】
【図１】各実施の形態に係る照明制御システムの構成を示す図である。
【図２】実施の形態１に係る照明制御装置の構成を示す図である。
【図３】実施の形態１に係る照明制御装置の構成を示す図である。
【図４】実施の形態１に係る照明制御装置の構成を示す図である。
【図５】実施の形態２に係る照明制御装置の構成を示す図である。
【図６】実施の形態２に係る照明制御装置の構成を示す図である。
【図７】実施の形態２に係る照明制御装置の構成を示す図である。
【図８】実施の形態５に係る照明制御装置の構成を示す図である。
【図９】実施の形態５に係る照明制御装置の構成を示す図である。
【図１０】実施の形態５に係る照明制御装置の構成を示す図である。
【図１１】実施の形態６に係る照明制御装置の構成を示す図である。
【図１２】実施の形態６に係る照明制御装置の構成を示す図である。
【図１３】実施の形態７に係る照明制御装置の構成を示す図である。
【図１４】実施の形態７に係る照明制御装置の構成を示す図である。
【符号の説明】
【００５６】
１００  照明制御装置、１０１  アンテナ、１０２  回路基板、１０３  無線部、１０４  制御部、１０５  筐体、１０６  壁部、１０７  可動部、１０８  取り付けばね、１０９  信号線、１１０  中心軸、１１１  回転軸、１１２  誘電体、１１３  回転部、１１４  人感センサ、１１５  照度センサ、２００  ワイヤレスリモコン、３００  照明器具、３０１  制御ユニット、３０２  アンテナ、３０３  無線部、４０１  照度センサ、４０２  人感センサ、４０３  壁スイッチ。
【図１】
2007287679.tif 000003
【図２】
2007287679.tif 000004
【図３】
2007287679.tif 000005
【図４】
2007287679.tif 000006
【図５】
2007287679.tif 000007
【図６】
2007287679.tif 000008
【図７】
2007287679.tif 000009
【図８】
2007287679.tif 000010
【図９】
2007287679.tif 000011
【図１０】
2007287679.tif 000012
【図１１】
2007287679.tif 000013
【図１２】
2007287679.tif 000014
【図１３】
2007287679.tif 000015
【図１４】
2007287679.tif 000016